(57)【要約】      （修正有）【課題】ブロイラーなどの食肉用の鶏の飼育において、効率よく鶏を増体させることができる照明システムを提供する。【解決手段】養鶏に用いられる照明システム１０は、発光ピーク波長が４８０ｎｍ以上５８０ｎｍ以下の光を発する光源部２１と、鶏の育成期間における育成前期に、光源部２１が発する光を鶏の飼育領域に照射する制御を行う制御部３１とを備える。また育成後期においては、鶏に白色光を照射することで、高い増体効果が得られる。【選択図】図２
2017135028.tif 000002
【特許請求の範囲】
【請求項１】
養鶏に用いられる照明システムであって、
発光ピーク波長が４８０ｎｍ以上５８０ｎｍ以下の光を発する光源部と、
鶏の育成期間における育成前期に、前記光源部が発する前記光を鶏の飼育領域に照射する制御を行う制御部とを備える
照明システム。
【請求項２】
前記光源部は、さらに、白色光を発し、
前記制御部は、前記鶏の育成期間における育成後期に、前記光源部が発する白色光を前記飼育領域に照射する制御を行う
請求項１に記載の照明システム。
【請求項３】
前記光源部は、さらに、青色光を発し、
前記制御部は、前記鶏の育成期間における育成後期に、前記光源部が発する青色光を前記飼育領域に照射する制御を行う
請求項１に記載の照明システム。
【請求項４】
前記光源部は、さらに、赤色光を発し、
前記制御部は、前記鶏の育成期間における育成後期に、前記光源部が発する赤色光を前記飼育領域に照射する制御を行う
請求項１に記載の照明システム。
【請求項５】
前記制御部は、前記育成後期において前記飼育領域に照射される光の照度を、前記育成前期において前記飼育領域に照射される光の照度よりも低くする
請求項２〜４のいずれか１項に記載の照明システム。
【請求項６】
鶏の育成期間における育成前期に、発光ピーク波長が４８０ｎｍ以上５８０ｎｍ以下の光を鶏の飼育領域に照射する
鶏の飼育方法。
【発明の詳細な説明】
【技術分野】
【０００１】
本発明は、養鶏に用いられる照明システム、及び、鶏の飼育方法に関する。
【背景技術】
【０００２】
鶏の飼育は、産業として、日本を含めた世界各国において盛んに行われている。例えば、特許文献１には、鶏舎内の照明を育成初期においては明るくし、出荷時までに徐々に暗くする飼育方法が開示されている。
【先行技術文献】
【特許文献】
【０００３】
【特許文献１】特開２００９−１７１８６６号公報
【発明の概要】
【発明が解決しようとする課題】
【０００４】
ブロイラーなどの食肉用の鶏の飼育においては、効率よく鶏を増体させることが求められている。
【０００５】
本発明は、効率よく鶏を増体させることができる照明システム、及び、鶏の飼育方法を提供する。
【課題を解決するための手段】
【０００６】
本発明の一態様に係る照明システムは、養鶏に用いられる照明システムであって、発光ピーク波長が４８０ｎｍ以上５８０ｎｍ以下の光を発する光源部と、鶏の育成期間における育成前期に、前記光源部が発する前記光を鶏の飼育領域に照射する制御を行う制御部とを備える。
【０００７】
本発明の一態様に係る鶏の飼育方法は、鶏の育成期間における育成前期に、発光ピーク波長が４８０ｎｍ以上５８０ｎｍ以下の光を鶏の飼育領域に照射する。
【発明の効果】
【０００８】
本発明の照明システム、及び、鶏の飼育方法によれば、効率よく鶏を増体させることができる。
【図面の簡単な説明】
【０００９】
【図１】図１は、実施の形態に係る照明システムの概要を示す図である。
【図２】図２は、実施の形態に係る照明システムの機能構成を示すブロック図である。
【図３】図３は、実験に用いられた白色光の発光スペクトルを示す図である。
【図４】図４は、実験に用いられた緑色光の発光スペクトルを示す図である。
【図５】図５は、実験中の光の照度を示す図である。
【図６】図６は、鶏の視感度特性を考慮したときの照度の換算値を示す図である。
【図７】図７は、実験において鶏に与えられた飼料を示す図である。
【図８】図８は、育成前期の体重の推移を示す図である。
【図９】図９は、育成後期の体重の推移を示す図である。
【図１０】図１０は、育成期間における週ごとの体重の増加量を示す図である。
【図１１】図１１は、実施の形態に係る照明システムの動作例１のフローチャートである。
【図１２】図１２は、実施の形態に係る照明システムの動作例２のフローチャートである。
【発明を実施するための形態】
【００１０】
以下、実施の形態について、図面を参照しながら説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００１１】
なお、各図は模式図であり、必ずしも厳密に図示されたものではない。また、各図において、実質的に同一の構成に対しては同一の符号を付しており、重複する説明は省略または簡略化される場合がある。
【００１２】
（実施の形態）
［構成］
まず、実施の形態に係る照明システムの構成について説明する。図１は、実施の形態に係る照明システムの概要を示す図である。図２は、実施の形態に係る照明システムの機能構成を示すブロック図である。
【００１３】
図１に示されるように、実施の形態に係る照明システム１０は、養鶏用の照明システムである。照明システム１０は、例えば、鶏舎６０に設置される。図１及び図２に示されるように、照明システム１０は、照明装置２０と、制御装置３０とを備える。また、必須の構成要素ではないが、照明システム１０は、空調装置４０と、温度計測装置５０とを備える。以下、各装置について詳細に説明する。
【００１４】
［照明装置］
まず、照明装置２０について詳細に説明する。照明装置２０は、鶏舎６０の天井に設置され、鶏舎６０内を照らす。照明装置２０は、鶏舎６０の天井に少なくとも１つ設置されればよく、複数設置されてもよい。照明装置２０は、具体的には、複数の鶏が飼育されている飼育領域７０（鶏舎６０の床）に光を照射する。これにより、鶏舎６０内の鶏に光が照射される。
【００１５】
鶏舎６０で飼育される鶏の品種は、例えば、ブロイラー（より具体的には、チャンキー、コッブ、または、アーバーエーカなど）であるが、いわゆる地鶏など、他の品種であってもよい。
【００１６】
照明装置２０は、光源部２１を備える。光源部２１は、具体的には、白色光源２１ｗと、赤色光源２１ｒと、緑色光源２１ｇと、青色光源２１ｂとを有する。光源部２１は、白色光、赤色光、緑色光、及び、青色光のそれぞれを発することが可能である。
【００１７】
白色光源２１ｗは、白色光を発する光源であり、具体的には、白熱電球または蛍光灯などである。また、白色光源２１ｗは、ＬＥＤを用いた光源であってもよい。この場合、白色光源２１ｗは、ＣＯＢ（Ｃｈｉｐ  Ｏｎ  Ｂｏａｒｄ）型の発光モジュールであってもよいし、ＳＭＤ（Ｓｕｒｆａｃｅ  Ｍｏｕｎｔ  Ｄｅｖｉｃｅ）型の発光モジュールであってもよい。また、白色光源２１ｗは、リモートフォスファー型の発光モジュールであってもよい。なお、照明装置２０が、赤色光源２１ｒ、緑色光源２１ｇ、及び、青色光源２１ｂを備える場合には、これら３つの光源が発する光によって白色光が生成されてもよく、このような場合、光源部２１は、白色光源２１ｗを有しなくてもよい。
【００１８】
白色光源２１ｗが発する白色光は、黒体軌跡上の白色であってもよいし、黒体軌跡から外れた白色であってもよい。また、白色光源２１ｗが発する白色光の相関色温度も特に限定されない。
【００１９】
赤色光源２１ｒは、赤色光を発する光源である。赤色光源２１ｒは、例えば、発光ピーク波長が６００ｎｍ以上６８０ｎｍ以下の赤色光を発する。赤色光源２１ｒは、具体的には、赤色ＬＥＤを用いた発光モジュールであるが、赤色光源２１ｒの具体的な態様は、特に限定されない。
【００２０】
緑色光源２１ｇは、緑色光を発する光源である。緑色光源２１ｇは、例えば、発光ピーク波長が４８０ｎｍ以上５８０ｎｍ以下の緑色光（詳細には、緑青色、青緑色、緑色、及び、黄緑色の光を含む）を発する。緑色光源２１ｇは、具体的には、緑色ＬＥＤを用いた発光モジュールであるが、緑色光源２１ｇの具体的な態様は、特に限定されない。
【００２１】
青色光源２１ｂは、青色光を発する光源である。青色光源２１ｂは、例えば、発光ピーク波長が３８０ｎｍ以上４８０ｎｍ以下の青色光（詳細には、青色、及び、紫色の光を含む）を発する。青色光源２１ｂは、具体的には、青色ＬＥＤを用いた発光モジュールであるが、青色光源２１ｂの具体的な態様は、特に限定されない。
【００２２】
［制御装置］
次に、制御装置３０について説明する。制御装置３０は、１以上の照明装置２０を制御するコントローラである。制御装置３０は、制御部３１と、記憶部３２と、計時部３３とを備える。
【００２３】
制御部３１は、照明装置２０の光源部２１を制御する。制御部３１は、具体的には、白色光源２１ｗ、赤色光源２１ｒ、緑色光源２１ｇ、及び、青色光源２１ｂを独立して制御可能である。つまり、制御部３１は、白色光、赤色光、緑色光、及び、青色光を選択的に飼育領域７０に照射することができる。制御部３１の制御には、点灯、消灯、及び、調光が含まれる。
【００２４】
また、制御部３１は、空調装置４０のオン及びオフ、並びに、送風量を制御する。制御部３１は、例えば、温度計測装置５０から取得した温度に基づいて、空調装置４０を制御する。
【００２５】
制御部３１は、具体的には、光源部２１の光出力を制御するためのＰＷＭ制御回路（調光回路）、及び、空調装置４０を制御するための制御回路などから構成される。制御部３１は、プロセッサ、またはマイクロコンピュータなどによって構成されてもよい。
【００２６】
記憶部３２は、制御部３１にプロセッサまたはマイクロコンピュータなどが含まれる場合に、制御部３１が実行する制御プログラムが記憶される記憶装置である。記憶部３２は、例えば、半導体メモリによって実現される。
【００２７】
計時部３３は、時間を計測する。計時部３３は、例えば、現在の日時（年月日を含む）を計測する。計時部３３は、具体的には、タイマ回路、または、リアルタイムクロックＩＣなどであるが、どのような態様であってもよい。計時部３３が計測した時間を示す時間情報は、制御部３１に出力され、制御部３１は、計時部３３が計測した時間に応じて光源部２１の制御を行う。
【００２８】
［空調装置および温度計測装置］
空調装置４０は、鶏舎６０内の空調を行う。空調装置４０は、例えば、畜産用の大型換気扇である。
【００２９】
温度計測装置５０は、鶏舎６０内の温度を計測する。温度計測装置５０は、サーミスタまたは熱電対などの温度計測用の素子を有し、室内の温度（室温）を所定期間ごとに計測する。温度計測装置５０が計測した温度を示す温度情報は、制御部３１に出力される。
【００３０】
［実験の内容］
発明者らは、以下の実験を行い、鶏の育成期間における育成前期に、発光ピーク波長が４８０ｎｍ以上５８０ｎｍ以下の光を飼育領域７０に照射することにより、鶏の増体を促進することができることを見出した。
【００３１】
まず、育成期間について説明する。ブロイラーなどの食肉用の鶏の育成期間は、一般的に４９日と定められている。この４９日間の育成期間のうち、前半の３週間（０日以降２１日まで）が育成前期であり、育成期間の後半の４週間（２２日以降４９日まで）は、育成後期である。育成期間の開始点（０日）は、ひな鳥の誕生後、２日または３日経過後とされる場合がある。例えば、育成期間の開始点におけるブロイラーの体重は、４０ｇ程度であり、育成期間の終了時点におけるブロイラーの体重は、３０００ｇ以上である。
【００３２】
なお、育成前期と育成後期との境界は、上記のように厳密に定められる必要はなく、例えば、育成期間の１９日目以降２４日目までに属してもよい。
【００３３】
次に、実験の内容の詳細について説明する。
【００３４】
実験は、育成期間の全期間において、白色光源２１ｗ（実験では白熱電球）のみを発光させた第一条件、緑色光源２１ｇ（実験では緑色ＬＥＤ）のみを発光させた第二条件、及び、青色光源２１ｂ（実験では、青色ＬＥＤ）のみを発光させた第三条件の各条件で行われた。図３は、実験に用いられた白色光の発光スペクトルを示す図であり、図４は、実験に用いられた緑色光の発光スペクトルを示す図である。図４に示される緑色光の発光スペクトルの発光ピーク波長は、５５５ｎｍ付近に位置する。また、図示されないが、実験に用いられた青色光の発光スペクトルの発光ピーク波長は、４５０ｎｍ付近に位置する。
【００３５】
なお、飼育領域７０（鶏舎６０の床面）における照度は、育成前期（実験においては０日以降２１日まで）と、育成後期（２２日以降４９日まで）とで変更して実験を行った。図５は、実験中の光の照度を示す図である。
【００３６】
図５に示されるように、実験においては、いずれの条件においても、育成前期と育成後期とで照度が変更されている。具体的には、育成後期の照度が、育成前期の照度よりも低くされている。なお、図５は、ヒトの目で見た照度であるため、各条件において照度の差があるように思われる。しかしながら、鶏の視感度特性を考慮すると、図６に示されるように、各条件間における照度の差は小さい。図６は、鶏の視感度特性を考慮したときの照度の換算値を示す図である。なお、実験においては、育成期間の全期間において、一度も光源部２１の消灯は行われていない。
【００３７】
各条件においては、３００羽の雄の鶏（具体的には、ブロイラー品種のチャンキー種）と、３００羽の雌の鶏（同じくチャンキー種）との合計６００羽が飼育された。なお、鶏に与えられた飼料（餌）は、いずれの条件においても同じ飼料であるが、照度と同様に、育成前期と育成後期とで変更された。図７は、実験において鶏に与えられた飼料を示す図である。
【００３８】
図７に示されるように、育成前期においては、動物性タンパク質入りの有薬飼料が与えられた。この飼料のＣＰ（粗タンパク質）は、２１％であり、ＭＥ（代謝エネルギー）は、３，０５０ｋｃａｌである。育成後期においては、動物性タンパク質無しの無薬飼料が与えられた。この飼料のＣＰは、１８％であり、ＭＥは、３，２００ｋｃａｌである。なお、各条件において与えられた飼料の量は同一である。
【００３９】
［実験の結果］
次に、以上のような実験の結果について説明する。図８は、育成前期の体重の推移を示す図である。図９は、育成後期の体重の推移を示す図である。図１０は、育成期間における週ごとの体重の増加量を示す図である。
【００４０】
図８及び図９では、各条件において６００羽の体重の平均値の推移が示されている。体重の測定は、各週の終了時点において行われた。なお、図９のグラフは、図８のグラフの続きを示すグラフである。図１０では、６００羽の体重の増加量の平均値が棒グラフによって示され、棒グラフに重畳された上下方向に延伸する直線の長さは、６００羽の鶏の体重のばらつきを示す。
【００４１】
まず、育成前期の実験の結果について、図８及び図１０を参照しながら説明する。図８に示されるように、育成前期全体においては、第二条件（緑色）の増体効果が最も大きい結果が得られた。次に、第三条件（青色）の増体効果が高く、第二条件（白色）の増体効果は、最も低い、という結果となった。
【００４２】
育成前期の終了時点において、第二条件（緑色）における鶏の体重は、最も増体効果が小さい結果となった第一条件（白色）に対して８％〜１０％程度、重いという結果が得られた。
【００４３】
一方、図１０に示されるように、体重の増加量は、育成期間のうち、１週目、２週目、及び、３週目のいずれの期間においても、第二条件（緑色）が最も多い。１週目においては、第一条件（白色）における増加量と第三条件（青色）における増加量とは、同等であるが、２週目においては、第一条件（白色）よりも第三条件（青色）のほうが増加量は少ない。３週目においては、第一条件（白色）よりも第三条件（青色）のほうが増加量は多い。
【００４４】
このように、育成前期においては、鶏に緑色光を照射することで、高い増体効果が得られる。緑色光は、鶏の骨格筋の衛星細胞の増殖を促進する。したがって、緑色光は、育成前期に鶏を著しく成長させるのに適していると考えられる。
【００４５】
次に、育成後期の実験の結果について、図９及び図１０を参照しながら説明する。図９に示されるように、育成後期の終了時点においては、第一条件（白色）、第二条件（緑色）、第三条件（青色）の順に、鶏の体重が重い結果となった。
【００４６】
図１０に示されるように、育成期間のうち、４週目、５週目、及び、６週目のいずれの期間においても、第一条件（白色）、第二条件（緑色）、第三条件（青色）の順に鶏の体重の増加量が多い結果となった。７周目においては、４〜６週目と異なり、第三条件（青色）、第二条件（緑色）、第一条件（白色）の順に鶏の体重の増加量が多い結果となった。
【００４７】
このように、育成後期においては、鶏に白色光を照射することで、高い増体効果が得られる。
【００４８】
なお、図１０に示されるように、育成後期においては、第三条件（青色）の体重の増加量のばらつきが大きく、第三条件（青色）によって著しく体重が増加している鶏も存在する。したがって、光の照度を高めるなど光の照射条件の調整により、第三条件（青色）で高い増体効果が得られる可能性がある。なお、青色光は、血中アンドロゲンを高める効果があり、これにより、育成後期に著しく体重が増加した鶏が存在すると考えられる。
【００４９】
［照明システムの動作例１］
以上の実験の結果に基づく、照明システム１０の動作について説明する。図１１は、照明システム１０の動作例１のフローチャートである。
【００５０】
育成期間の開始後、制御装置３０の制御部３１は、照明装置２０の光源部２１に含まれる緑色光源２１ｇを選択的に発光させる。つまり、制御部３１は、鶏の育成期間における育成前期に、緑色光源２１ｇが発する緑色の単色光を飼育領域７０に照射する制御を行う（Ｓ１１）。
【００５１】
なお、上記実験では、緑色の単色光の発光ピーク波長は、５５５ｎｍであったが、発光ピーク波長が４８０ｎｍ以上５８０ｎｍ以下の光であれば同様の効果が得られる。つまり、ステップＳ１１においては、制御部３１は、発光ピーク波長が４８０ｎｍ以上５８０ｎｍ以下の光（単色光）を飼育領域７０に照射すればよい。
【００５２】
続いて、制御部３１は、計時部３３の計測した時間に基づいて、育成前期が終了したか否か、つまり、育成前期が育成後期に遷移したか否かを判定する（Ｓ１２）。制御部３１は、育成前期が終了していないと判定した場合（Ｓ１２でＮｏ）、緑色光の照射を継続する（Ｓ１１）。一方、制御部３１は、育成前期が終了したと判定した場合（Ｓ１２でＹｅｓ）、照明装置２０の光源部２１に含まれる白色光源２１ｗを選択的に発光させる。つまり、制御部３１は、鶏の育成期間における育成後期に、育成前期に照射されていた緑色光に代えて、白色光源２１ｗが発する白色光を飼育領域７０に照射する制御を行う（Ｓ１３）。
【００５３】
なお、上記実験では、白色光源２１ｗとして、白熱電球が用いられたが、ステップＳ１３においては、白色光源２１ｗとして、ＬＥＤを用いた白色光源など、他の白色光源が用いられてもよい。このような他の白色光源によっても白熱電球の場合と同様の効果が得られることは、実験的に確かめられている。
【００５４】
また、制御部３１は、例えば、育成後期において飼育領域７０に照射される光の照度を、育成前期において飼育領域７０に照射される光の照度よりも低くする。具体的には、育成前期における緑色光の飼育領域７０における照度は、１０ルクス程度であり、育成後期における白色光の飼育領域７０における照度は、５ルクス程度である。
【００５５】
しかしながら、育成後期に照度を高めることで増体効果が得られるような場合には、制御部３１は、育成後期において飼育領域７０に照射される光の照度を、育成前期において飼育領域７０に照射される光の照度よりも高くしてもよい。
【００５６】
続いて、制御部３１は、計時部３３の計測した時間に基づいて、育成後期が終了したか否かを判定する（Ｓ１４）。制御部３１は、育成後期が終了していないと判定した場合（Ｓ１４でＮｏ）、緑色光の照射を継続する（Ｓ１３）。一方、制御部３１が育成後期が終了したと判定した場合（Ｓ１４でＹｅｓ）、動作（育成期間）は終了となる。
【００５７】
上記実験結果に基づけば、このような照明システム１０の動作によって、効率よく鶏を増体させることができる。
【００５８】
なお、緑色光は、育成前期の全期間において照射されてもよいが、育成前期において断続的に照射されてもよい。例えば、育成前期において、消灯される期間が設けられてもよい。同様に、白色光は、育成後期の全期間において照射されてもよいが、育成後期において断続的に照射されてもよい。
【００５９】
［照明システムの動作例２］
なお、上記実験で説明したように、育成後期においては、青色の単色光を照射することにより、顕著な増体効果が得られる場合がある。そこで、育成後期においては、青色光が照射されてもよい。以下、このような照明システム１０の動作について説明する。図１２は、照明システム１０の動作例２のフローチャートである。
【００６０】
図１２に示されるように、動作例２においては、制御部３１は、育成前期が終了したと判定した場合（Ｓ１２でＹｅｓ）、照明装置２０の光源部２１に含まれる青色光源２１ｂを選択的に発光させる。つまり、制御部３１は、鶏の育成期間における育成後期に、育成前期に照射されていた緑色光に代えて、青色光源２１ｂが発する青色の単色光を飼育領域７０に照射する制御を行う（Ｓ１５）。
【００６１】
このとき、制御部３１は、育成後期において飼育領域７０に照射される光の照度を、育成前期において飼育領域７０に照射される光の照度よりも低くしてもよいし、高くしてもよい。また、青色光は、育成後期の全期間において照射されてもよいが、育成後期において断続的に照射されてもよい。なお、青色の単色光の発光ピーク波長は、３８０ｎｍ以上４８０ｎｍ以下であればよい。
【００６２】
このような照明システム１０の動作によれば、顕著に増体させた鶏を得ることができる。
【００６３】
なお、上記実験の結果では、育成期間の７週目には、青色光が照射されることが望ましい。そこで、制御部３１は、育成期間の７週目に、青色光源２１ｂが発する青色の単色光を飼育領域７０に照射する制御を行ってもよい。
【００６４】
［照明システムの動作例３］
育成後期には、赤色の単色光が照射される期間が含まれてもよい。制御部３１は、具体的には、育成後期において、照明装置２０の光源部２１に含まれる赤色光源２１ｒを選択的に発光させる。つまり、制御部３１は、鶏の育成期間における育成後期に、赤色光源２１ｒが発する赤色の単色光を飼育領域７０に照射する制御を行う。なお、赤色光の発光ピーク波長は、例えば、６００ｎｍ以上６８０ｎｍ以下である。
【００６５】
育成後期においては、鶏同士の争い（突っつき合い）により、鶏が負傷してしまうことがある。鶏の血の色と同じ赤色光が飼育領域７０に照射されれば、一の鶏に、他の鶏が既に負傷していると思わせることで、鶏を落ち着かせ、鶏同士の争いを抑制することができる。
【００６６】
なお、照明システム１０は、飼育領域７０を撮像する撮像部をさらに備え、制御部３１は、撮像部が撮像した画像を画像処理することにより、鶏の同士の争いがある期間を特定してもよい。そして、制御部３１は、特定した期間に照射される光を赤色光に変更してもよい。
【００６７】
これにより、照明システム１０は、鶏同士の争いが多い期間等に、効率的に赤色光を照射することができる。
【００６８】
［効果等］
以上説明したように、照明システム１０は、養鶏に用いられる照明システムであって、発光ピーク波長が４８０ｎｍ以上５８０ｎｍ以下の光を発する光源部２１と、鶏の育成期間における育成前期に、光源部２１が発する光を鶏の飼育領域７０に照射する制御を行う制御部３１とを備える。
【００６９】
これにより、育成前期において、効率よく鶏を増体させることができる。
【００７０】
また、光源部２１は、さらに、白色光を発し、制御部３１は、鶏の育成期間における育成後期に、光源部２１が発する白色光を飼育領域７０に照射する制御を行ってもよい。
【００７１】
これにより、育成後期において、効率よく鶏を増体させることができる。
【００７２】
また、光源部２１は、さらに、青色光を発し、制御部３１は、鶏の育成期間における育成後期に、光源部２１が発する青色光を飼育領域７０に照射する制御を行ってもよい。
【００７３】
これにより、顕著に増体させた鶏を得ることができる。
【００７４】
また、光源部２１は、さらに、赤色光を発し、制御部３１は、鶏の育成期間における育成後期に、光源部２１が発する赤色光を飼育領域７０に照射する制御を行ってもよい。
【００７５】
これにより、鶏を落ち着かせ、鶏同士の争いを抑制することができる。
【００７６】
また、制御部３１は、育成後期において飼育領域７０に照射される光の照度を、育成前期において飼育領域７０に照射される光の照度よりも低くしてもよい。
【００７７】
これにより、効率よく鶏を増体させ得る。
【００７８】
また、上記実施の形態に係る鶏の飼育方法は、鶏の育成期間における育成前期に、発光ピーク波長が４８０ｎｍ以上５８０ｎｍ以下の光を鶏の飼育領域７０に照射する。
【００７９】
これにより、育成前期において、効率よく鶏を増体させることができる。
【００８０】
（その他の実施の形態）
以上、実施の形態に係る照明システム、及び、鶏の育成方法について説明したが、本発明は、上記実施の形態に限定されない。
【００８１】
例えば、上記実施の形態においては、育成前期において、飼育領域に緑色（発光ピーク波長が４８０ｎｍ以上５８０ｎｍ以下）の単色光が照射された。しかしながら、発光ピーク波長が４８０ｎｍ以上５８０ｎｍ以下の成分が強められた白色光などが照射されても、単色光が照射された場合に近い増体効果が得られる場合がある。青色の単色光が照射される場合、及び、赤色の単色光が照射される場合についても同様である。
【００８２】
また、上記実施の形態で説明された光源部の構成は、一例である。光源部には、蛍光管、メタルハライドランプ、ナトリウムランプ、ハロゲンランプ、キセノンランプ、または、ネオン管等が用いられてもよい。また、光源部には、無機エレクトロルミネッセンス、有機エレクトロルミネッセンス、ケミルミネッセンス（化学発光）、または、半導体レーザー等が使用されてもよい。また、光源部は、分光フィルター等によって所望の色の光を発してもよい。光源部は、所望の色の光を発することができるのであれば、特に限定されない。
【００８３】
また、上記実施の形態に係る照明システムは、アヒル、七面鳥、またはホロホロチョウなど、鶏以外の鳥の養殖に用いられてもよい。
【００８４】
また、本発明の包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムおよび記録媒体の任意な組み合わせで実現されてもよい。例えば、本発明は、照明装置の制御方法として実現されてもよいし、照明装置の制御方法をコンピュータに実行させるためのプログラムとして実現されてもよいし、上記実施の形態に係る制御装置として実現されてもよい。
【００８５】
また、上記実施の形態において、制御部などの構成要素の全部または一部は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【００８６】
また、上記実施の形態における構成要素の装置への振り分けは、一例である。例えば、照明装置と制御装置とが１つの装置として実現されてもよい。また、照明装置は、制御装置の機能の一部を有してもよい。また、制御部が備える記憶部は、照明システムの外部に設けられた記憶装置として実現されてもよい。
【００８７】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【００８８】
１０  照明システム
２０  照明装置
２１  光源部
３１  制御部
７０  飼育領域
【図１】
2017135028.tif 000003
【図２】
2017135028.tif 000004
【図３】
2017135028.tif 000005
【図４】
2017135028.tif 000006
【図５】
2017135028.tif 000007
【図６】
2017135028.tif 000008
【図７】
2017135028.tif 000009
【図８】
2017135028.tif 000010
【図９】
2017135028.tif 000011
【図１０】
2017135028.tif 000012
【図１１】
2017135028.tif 000013
【図１２】
2017135028.tif 000014